(57)【要約】      （修正有）【課題】第１の筐体と第２の筐体をヒンジ構造によって連結した携帯型電子機器において、各筐体内に水の浸入を防いで防水性を高める。【解決手段】第１の筐体が第２の筐体に連結し、第１の筐体の後面に取付凹部が形成され、枢軸６３が取付凹部に設けられ、第２の筐体の前面に回動円筒部７０が設けられ、枢軸６３が回動円筒部７０に受容され、回動円筒部７０にフレキシブル配線基板１６０が巻かれ、取付凹部に通し孔が形成され、フレキシブル配線基板１６０が通し孔を通り、回動円筒部７０の周囲において第２の筐体３の前面に通し孔が形成され、フレキシブル配線基板１６０が通し孔を通り、フレキシブル配線基板１６０に設けられた防水キャップ１６１が通し孔に嵌合し、フレキシブル配線基板１６０に設けられた防水キャップ１６２が通し孔に嵌合している。【選択図】図４
2007273877.tif 000002
【特許請求の範囲】
【請求項１】
第１の筐体が第２の筐体に対向した状態で連結し、前記第１の筐体が前記第２の筐体に対して対向面に直交する軸心周りに回動可能とされた携帯型電子機器において、
前記第１の筐体の対向面に凹部が形成され、前記軸心に沿った枢軸が前記凹部に設けられ、円筒部が前記第２の筐体の対向面に設けられ、前記枢軸が前記円筒部に受容され、可撓性配線体が前記円筒部に巻かれ、前記凹部の壁面に第１の通し孔が形成され、前記可撓性配線体が前記第１の通し孔を通って前記第１の筐体内の回路基板に接続され、前記円筒部の周囲において前記第２の筐体の対向面に第２に通し孔が形成され、前記可撓性配線体が前記第２の通し孔を通って前記第２の筐体内の回路基板に接続され、第１の防水部材が前記可撓性配線体の一部を包み込むよう前記可撓性配線体に一体形成され、前記第１の防水部材が前記第１の通し孔に嵌合し、第２の防水部材が前記可撓性配線体の一部を包み込むよう前記可撓性配線体に一体形成され、前記第２の防水部材が前記第２の通し孔に嵌合していることを特徴とする携帯型電子機器。
【発明の詳細な説明】
【技術分野】
【０００１】
本発明は、第１の筐体が第２の筐体に対向した状態で連結し、前記第１の筐体が前記第２の筐体に対して対向面に直交する軸心周りに回動可能とされた携帯型電子機器に関する。
【背景技術】
【０００２】
近年、携帯電話機といった携帯型電子機器には、第１の筐体をヒンジ構造によって第２の筐体に対向した状態に連結し、第１の筐体に対して第２の筐体をそれらの対向面に直交する軸線周りに回動可能としたものがある（例えば、特許文献１参照）。ヒンジ構造内には軸線に沿って通し孔が形成され、その通し孔に配線が挿入され、配線の一端部が第１の筐体内において回路基板に接続され、配線の他端部が第２の筐体内において回路基板に接続されている。これにより、各筐体間で電気的な信号の送受信が実現される。また、ヒンジ構造の摺動面間にゴムパッキンを介在させ、水等が外部から摺動面間の隙間を通って通し孔に浸入しないようにしている。これにより、ヒンジ構造の防水性を向上している。
【特許文献１】特開２００４−２７０８２１号公報
【発明の開示】
【発明が解決しようとする課題】
【０００３】
しかしながら、ヒンジ構造の摺動面の摺動が許容される構成となっているので、携帯電子機器が水没してしまって過大な水圧が摺動面間に加わった場合、ゴムパッキンによって完全な防水を図ることは極めて困難である。そのため、水没時には、摺動面間の隙間から漏れた水が通し孔を通って第１の筐体内や第２の筐体内に浸入してしまう。
【０００４】
そこで、本発明は、上記問題点に鑑みてなされたものであり、第１の筐体と第２の筐体をヒンジ構造によって連結した携帯型電子機器において、各筐体内に水の浸入を防いで防水性を高めることを目的とする。
【課題を解決するための手段】
【０００５】
以上の課題を解決するため、請求項１に記載の携帯型電子機器は、
第１の筐体が第２の筐体に対向した状態で連結し、前記第１の筐体が前記第２の筐体に対して対向面に直交する軸心周りに回動可能とされた携帯型電子機器において、
前記第１の筐体の対向面に凹部が形成され、前記軸心に沿った枢軸が前記凹部に設けられ、前記第２の筐体の対向面に円筒部が設けられ、前記枢軸が前記円筒部に受容され、前記円筒部に可撓性配線体が巻かれ、前記凹部の壁面に第１の通し孔が形成され、前記可撓性配線体が前記第１の通し孔を通って前記第１の筐体内の回路基板に接続され、前記円筒部の周囲において前記第２の筐体の対向面に第２に通し孔が形成され、前記可撓性配線体が前記第２の通し孔を通って前記第２の筐体内の回路基板に接続され、第１の防水部材が前記可撓性配線体を包み込むよう前記可撓性配線体に一体形成され、前記第１の防水部材が前記第１の通し孔に嵌合し、第２の防水部材が前記可撓性配線体を包み込むよう前記可撓性配線体に一体形成され、前記第２の防水部材が前記第２の通し孔に嵌合していることを特徴とする。
【発明の効果】
【０００６】
本発明によれば、第１の通し孔に第１の防水部材が嵌合し、第２の通し孔に第２の防水部材が嵌合しているので、枢軸と円筒部との間の隙間や凹部等に水が浸入したものとしても、第１の筐体や第２の筐体内への水の浸入が阻止される。
【０００７】
また、凹部に設けられた枢軸が円筒部に受容されるので、円筒部がその凹部に収容される。その円筒部に可撓性配線体が巻かれるので、可撓性配線体もその凹部に収容される。そのため、枢軸、円筒部及び可撓性配線体が隠れて、デザイン性が向上する。
【発明を実施するための最良の形態】
【０００８】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【０００９】
図１は、携帯電話機１の斜視図である。図１（ａ）は、軸線４１方向に見て第１の筐体２の外縁が第２の筐体３の外縁に一致した状態を示し、図１（ｃ）は、図１（ａ）の状態に対して１８０°回動した状態を示し、図１（ｂ）は、図１（ａ）の状態と図１（ｃ）の状態の間の状態を示す。図２は、携帯電話機１の正面図である。
【００１０】
図１〜図２に示すように、第１の筐体２は、前面ケース２２と後面ケース２３とをゴム製の防水リングを介在させて嵌め合わせることで構成され、第２の筐体３は、前面ケース３２と後面ケース３３とをゴム製の防水リングを介在させて嵌め合わせることで構成されている。
【００１１】
第１の筐体２の前面には透明な表示窓２１が設けられ、第１の筐体２内にディスプレイパネルが収容され、そのディスプレイパネルの表示面が表示窓２１に対向している。第２の筐体３の前面にはテンキーといったキー操作部３１が設けられている。
【００１２】
第１の筐体２と第２の筐体３が図３〜図６に示すようなヒンジ構造４によって連結され、これによりヒンジ構造４の連結により第１の筐体２の後面と第２の筐体３の前面が対向した状態となっている。ここで、図３は、図２に示された切断線III−IIIの矢視断面図であり、図４は、図２に示された切断線IV−IVの矢視断面図である。図５は、ヒンジ構造４の分解斜視図であり、図６は、図５とは異なる角度から見た分解斜視図である。
【００１３】
このヒンジ構造４の軸線４１は第１の筐体２の前後面及び第２の筐体３の前後面に対して直交し、ヒンジ構造４によって、第１の筐体２の後面が第２の筐体３の前面に略平行になった状態を保って第１の筐体２が第２の筐体３に対して回動可能とされている。
【００１４】
図３〜図６に示すように、ヒンジ構造４においては、第１の回動円筒部６０が第１の筐体２に取り付けられ、第１の回動円筒部６０に対して第２の回動円筒部７０が軸線４１周りに回動可能に設けられ、第２の回動円筒部７０が第２の筐体３に取り付けられている。これにより、第１の筐体２が第２の筐体３に対して軸線４１周りに回動可能となっている。
【００１５】
第１の回動円筒部６０が有底円筒状に形成され、この第１の回動円筒部６０の底６１の外周部分にフランジ状の平板部６２が形成され、平板部６２と第１の回動円筒部６０が一体とされている。第１の回動円筒部６０の内側において枢軸６３が第１の回動円筒部６０の底６１から軸線４１に沿って突出し、第１の回動円筒部６０と枢軸６３が一体とされている。
【００１６】
枢軸６３の底寄りの部分６４が円柱状に形成されている。枢軸６３の先端寄りの部分６５の形状は円柱ではなく、軸線４１から周面上の一点までの距離と軸線４１から周面上の他の一点までの距離とが異なっている。以下、枢軸６３の底寄りの部分６４を円柱部６４といい、先端寄りの部分を多角柱部６５という。
【００１７】
また、図３〜６では枢軸６３の先端にフランジ６６が形成されているが、このフランジ６６は第１の回動円筒部６０を第２の回動円筒部７０に組み付けた後にカシメ加工されたものである。そのため、第１の回動円筒部６０を第２の回動円筒部７０に組み付ける前では枢軸６３の先端のフランジ６６が形成されていない。
【００１８】
枢軸６３は、リング状の漏れ止め部材９０、第２の回動円筒部７０、クリックリング１１０、リング状のディスクスプリング１２０、リング状のストッパ１３０、リング状の規制部材１４０にこれらの順に挿入されている。
【００１９】
漏れ止め部材９０は比較的硬質のゴムを鼓状に成形したもので、漏れ止め部材９０の軸線方向中央部がくびれている。漏れ止め部材９０の内径は枢軸６３の円柱部６４の径に等しく、枢軸６３の円柱部６４が漏れ止め部材９０に嵌入し、漏れ止め部材９０が第１の回動円筒部６０の底６１に当接している。
【００２０】
第２の回動円筒部７０は円筒状に形成され、この第２の回動円筒部７０に枢軸６３が受容されている。第２の回動円筒部７０の外周面であって両端面の間の中間部にはフランジ状の円板部７２が設けられ、円板部７２と第２の回動円筒部７０が一体形成されている。第２の回動円筒部７０の内側であって両端面の間の中間部にはリング状の中板部７３が形成され、その中板部７３も第２の回動円筒部７０と一体形成されている。その中板部７３の中央に軸孔７１が貫通し、枢軸６３がその軸孔７１に挿入されている。
【００２１】
軸孔７１に枢軸６３が挿入された状態では、第１の回動円筒部６０が第２の回動円筒部７０に受容され、これにより第２の回動円筒部７０の一方の開口が第１の回動円筒部６０の底６１によって閉塞されている。第１の回動円筒部６０の端面が中板部７３に当接し、第１の回動円筒部６０のアキシアル荷重が中板部７３によって受けられている。
【００２２】
また、軸孔７１の径は漏れ止め部材９０の内径よりも小さく、漏れ止め部材９０が軸孔７１を囲繞するようにして中板部７３に当接し、漏れ止め部材９０が中板部７３と第１の回動円筒部６０の底６１との間に挟み込まれている。漏れ止め部材９０が鼓状に設けられているので、漏れ止め部材９０が挟持されることで僅かながら圧縮変形している。
【００２３】
クリックリング１１０の穴１１１の形状は枢軸６３の多角柱部６５の外縁の形状に一致し、この穴１１１に多角柱部６５が嵌入されている。これにより、クリックリング１１０は枢軸６３に対して回転が固定され、枢軸６３とクリックリング１１０が一体に回転するようになっている。クリックリング１１０は中板部７３に当接し、クリックリング１１０の当接面には２つの凹部１１２が形成され、中板部７３の当接面には２つの凸部が形成され、２つの凸部が２つの凹部１１２にそれぞれ入り込んでいる。２つの凹部１１２が軸線４１に関して１８０°の位置にあり、２つの凸部も軸線４１に関して１８０°の位置にある。クリックリング１１０の回転に伴って凸部７６が凹部１１２から抜ける。また、クリックリング１１０の外縁が円形状に設けられ、クリックリング１１０のラジアル荷重が第２の回動円筒部７０の内面に受けられることで、枢軸６３が軸支されている。
【００２４】
ディスクスプリング１２０は円環状に設けられ、枢軸６３に対して回転が自由となっている。ディスクスプリング１２０は、軸線４１に直交する面に対して傾斜することで軸線４１方向への弾性変形をするように設けられている。このディスクスプリング１２０が第２の回動円筒部７０内にある。
【００２５】
ストッパ１３０の径はディスクスプリング１２０の径よりも大きく、ストッパ１３０の内にディスクスプリング１２０があり、ストッパ１３０が枢軸６３に対して回転可能となっている。また、ストッパ１３０の一方の面に突起部１３１が形成され、反対面にも突起部１３２が形成され、軸線４１に関して突起部１３２の１８０°の位置にも突起部１３３が形成されている。このストッパ１３０も第２の回動円筒部７０内にあり、ストッパ１３０の突起部１３１に係止可能な突起部が中板部７３に形成されている。
【００２６】
規制部材１４０の穴１４１の形状は枢軸６３の多角柱部６５の外縁の形状に一致し、この穴１４１に多角柱部６５が嵌入されている。そして、穴１４１に嵌入された多角柱部６５の先端はカシメ加工されてフランジ６６となっている。これにより、規制部材１４０は枢軸６３に対して回転が固定され、規制部材１４０とクリックリング１１０が一体に回転するようになっている。この規制部材１４０も第２の回動円筒部７０内にある。また、規制部材１４０の縁には、円弧状の切欠き１４２，１４３が形成されており、ストッパ１３０の突起部１３２がこの切欠き１４２内にあり、ストッパ１３０の突起部１３３が切欠き１４３内にある。この切欠き１４２，１４３、突起部１３１，１３２，１３３及び中板部７３の突起部によって回転角度が制限値である１８０°を僅かに超え得るようになっている。
【００２７】
枢軸６３のフランジ６６が規制部材１４０の穴１４１の周囲において規制部材１４０に当接し、クリックリング１１０、ディスクスプリング１２０及び規制部材１４０はフランジ６６と中板部７３との間に挟まれ、ストッパ１３０は規制部材１４０と中板部７３との間に挟まれている。更に、フランジ６６と第１の回動円筒部６０の底６１との間には、漏れ止め部材９０、中板部７３、クリックリング１１０、ディスクスプリング１２０及び規制部材１４０が挟まれている。このように、フランジ６６によって第２の回動円筒部７０、漏れ止め部材９０、クリックリング１１０、ディスクスプリング１２０、ストッパ１３０及び規制部材１４０からの枢軸６３の抜けが防止されている。
【００２８】
また、ディスクスプリング１２０や漏れ止め部材９０が挟持された状態で僅かながら圧縮変形している。軸孔７１の周囲において漏れ止め部材９０が中板部７３や第１の回動円筒部６０の底６１に圧接しているので、枢軸６３の外周面と軸孔７１の内面との間の隙間を通った液体の漏れを防止することができる。
【００２９】
第２の回動円筒部７０のもう一方の開口には、キャップ材１５０が挿入され、第２の回動円筒部７０の開口がキャップ材１５０によって閉塞されている。また、キャップ材１５０にはパッキン１５１が巻装され、キャップ材１５０の外周面と第２の回動円筒部７０の内壁面との間の隙間がそのパッキン１５１によって埋めている。また、キャップ材１５０の外周部分に２つの係合突起１５２が形成され、第２の回動円筒部７０の端面に係合凹部７４が形成され、係合突起１５２が係合凹部７４に係合することによって、第２の回動円筒部７０に対するキャップ材１５０の回動が抑止されている。
【００３０】
このヒンジ構造４における第１の筐体２と第２の筐体３との間の配線について説明する。図３〜図６に示すように、可撓性のフレキシブル配線基板（ＦＰＣ）１６０が、平板部６２と円板部７２の間において第２の回動円筒部７０に２周分巻かれており、フレキシブル配線基板１６０の巻き径は第２の回動円筒部７０の外径よりも大きい。フレキシブル配線基板１６０の巻かれた部分よりも一方の端部寄りには、第１の防水キャップ１６１が設けられ、他方の端部寄りには第２の防水キャップ１６２が設けられている。第１の防水キャップ１６１，１６２は、インサート材としてのフレキシブル配線基板１６０の一部を溶融樹脂で包んで固化させることによって形成されたものであり、その固化した樹脂が第１の防水キャップ１６１，１６２となる。
【００３１】
第１の防水キャップ１６１の外周には、フランジ１６１ａが周方向に亘って形成されている。第１の防水キャップ１６１の両端の間の中央部外周には溝１６１ｂが周方向に亘って形成され、溝１６１ｂにエラストマー性のリング状パッキン１６１ｃが嵌められている。第２の防水キャップ１６２も第１の防水キャップ１６１と同様に、フランジ１６２ａ及び溝１６２ｂが形成され、溝１６２ｂにエラストマー性のリング状パッキン１６２ｃが嵌められている。フレキシブル配線基板１６０の一端から他端に沿ってみた場合、第１の防水キャップ１６１のフランジ１６１ａが第２の防水キャップ１６２側にあり、第２の防水キャップ１６２のフランジ１６２ａが第１の防水キャップ１６１側にある。
【００３２】
図３、図４、図７に示すように、第１の筐体２の後面から下面にかけて取付凹部２６が形成され、取付凹部２６の左右両壁面にはスライド溝２７が形成されている。ここで、図７は携帯電話機１の分解斜視図であり、図７においては図面を見やすくするために第１の筐体２の前面ケース２２、第２の筐体３の後面ケース３３の図示を省略し、後面ケース２３を一部破断した状態で示す。
【００３３】
スライド溝２７に平板部６２が下から上へスライドにより挿入され、更に固定具１７０が下から取付凹部２６に挿入され、固定具１７０がネジ等によって第１の筐体２に固定されている。これにより第１の回動円筒部６０が第１の筐体２に取り付けら、枢軸６３が軸線４１に沿うよう取付凹部２６に設けられる。
【００３４】
この固定具１７０には、弓なり状に凹んだ曲面を有する門型部１７１が設けられ、門型部１７１が平板部６２と円板部７２の間において第２の回動円筒部７０を囲んでいる。門型部１７１の反対側の面が第１の筐体２の下面と面一となっている。
【００３５】
また、取付凹部２６の上壁面には第１の通し孔２８が形成されている。第１の通し孔２８にフレキシブル配線基板１６０が挿入され、フレキシブル配線基板１６０が第１の筐体２内において回路基板に接続されている。第１の通し孔２８に第２の防水キャップ１６２が嵌合し、リング状パッキン１６１ｃによって第１の通し孔２８の隙間が埋められている。また、第１の防水キャップ１６１のフランジ１６１ａが取付凹部２６の上壁面に係止し、第１の防水キャップ１６１が第１の筐体２の内側に入り込まないようになっている。
【００３６】
平板部６２に切欠き６２ａが形成され、その切欠き６２ａに爪部材１８０が挿入され、その爪部材１８０が取付凹部２６において第１の筐体２に係合している。この爪部材１８０と取付凹部２６の上壁面との間にフランジ１６２ａが挟まれ、第２の防水キャップ１６２が第１の通し孔２８から外れないようになっている。フレキシブル配線基板１６０が切欠き６２ａにおいて爪部材１８０によって曲げられ、フレキシブル配線基板１６０が爪部材１８０と取付凹部２６の底との間に挟まれている。
【００３７】
第２の筐体３の前面には、取付凹部３７が形成され、取付凹部３７の底の中央部に円形凹部３８が形成されている。第２の回動円筒部７０の一部が円形凹部３８に挿入され、取付凹部３７に円板部７２が嵌合され、円板部７２がネジ等によって第２の筐体３に固定されている。これにより第２の回動円筒部７０が第２の筐体３の前面に設けられる。
【００３８】
また、取付凹部３７の底には第２の通し孔３９が形成され、この第２の通し孔３９が第２の回動円筒部７０の周囲にある。第２の通し孔３９にフレキシブル配線基板１６０が挿入され、フレキシブル配線基板１６０が第２の筐体３内において回路基板に接続されている。第２の通し孔３９には、第２の防水キャップ１６２が嵌合し、リング状パッキン１６２ｃによって第２の通し孔３９の隙間が埋められている。
【００３９】
第２の防水キャップ１６２のフランジ１６２ａが取付凹部３７の底に係止し、第２の防水キャップ１６２が第２の筐体３の内側に入り込まないようになっている。また、円板部７２の縁に切欠き７２ａが形成され、その切欠き７２ａに留具１９０が嵌め込まれ、この留具１９０が円板部７２と取付凹部３７の底との間に挟まれることで固定されている。第２の防水キャップ１６２のフランジ１６２ａが留具１９０と取付凹部３７の底との間に挟まれ、第２の防水キャップ１６２が第２の通し孔３９から外れないようになっている。また、フレキシブル配線基板１６０が切欠き７２ａにおいて留具１９０によって曲げられ、フレキシブル配線基板１６０が留具１９０と切欠き７２ａの縁との間に挟まれている。
【００４０】
この携帯電話機１の回動について説明する。
図５及び図６に示した状態は、図１の（ｃ）の状態に対応している。この状態ではクリックリング１１０の凹部１１２に中板部７３の凸部が入り込んでいる。また、この状態では、ストッパ１３０の突起部１３２が切欠き１４２の一方の縁部に当接し、突起部１３１が中板部７３の突起部に当接しているので、第１の回動円筒部６０及び第１の筐体２を第２の回動円筒部７０及び第２の筐体３に対して一方に回転することができるが他方には回転することができない。より具体的には、携帯電話機１を図１の（ａ）の状態から図１の（ｃ）の状態にする際に、第１の筐体２を回転させた方向と逆の方向にしか回転させることができない。
【００４１】
そして、第１の回動円筒部６０及び第１の筐体２を第２の回動円筒部７０及び第２の筐体３に対して上述した方向に回転させると、枢軸６３とともにクリックリング１１０及び規制部材１４０が回転し、中板部７３の凸部が凹部１１２から抜ける。中板部７３の凸部が凹部１１２から抜ける時に、クリックリング１１０によってディスクスプリング１２０が変形するので、ディスクスプリング１２０の反発力をクリック感として感じることができる。
【００４２】
そして、第１の回動円筒部６０及び第１の筐体２を第２の回動円筒部７０及び第２の筐体３に対して１８０°回転させると、中板部７３の凸部が反対側の凹部１１２に入り込む。この時、ディスクスプリング１２０が復元し、その復元力をクリック感として感じることができる。また、この状態では、枢軸６３に固定された規制部材１４０によってストッパ１３０が第１の回動円筒部６０の回転に連動して略１８０°回転しており、ストッパ１３０の突起部１３１が中板部７３の突起部から略１８０°回転した位置にあるので、第１の回動円筒部６０及び第１の筐体２を第２の回動円筒部７０及び第２の筐体３に対して左右両方向にそれぞれ１８０°回転することができる。
【００４３】
以上のように、本実施形態によれば、第２の筐体３と第１の筐体２との間の隙間５を通って取付凹部２６に水が浸入しても、第１の防水キャップ１６１が第１の通し孔２８に嵌合しているので、第１の筐体２内への水の浸入を抑えることができる。第１の防水キャップ１６１は摺動面間を止水しているものではないので、摺動面間を止水したゴムパッキン等よりも第１の防水キャップ１６１の止水性が高い。第２の筐体３についても同様に、第２の防水キャップ１６２によって高い防水性をもつ。
【００４４】
また、第１の回動円筒部６０、第２の回動円筒部７０、枢軸６３及びフレキシブル配線基板１６０等が取付凹部２６に収容された状態となっているので、第１の回動円筒部６０、第２の回動円筒部７０、枢軸６３及びフレキシブル配線基板１６０等が隠れて、携帯電話機１のデザイン性が向上する。
【００４５】
また、軸孔７１の周囲において漏れ止め部材９０が第１の回動円筒部６０底６１や第２の回動円筒部７０の中板部７３に圧接しているので、枢軸６３の外周面と軸孔７１の内面との間の隙間を通った水の浸入を防止することができる。また、第２の回動円筒部７０の開口もキャップ材１５０によって閉塞され、これにより防水が実現されている。そのため、携帯電話機１が水没したものとしても、第２の回動円筒部７０内にある規制部材１４０、ストッパ１３０、ディスクスプリング１２０、クリックリング１１０が濡れずに済む。
【００４６】
なお、本発明は、上記実施形態に限定されることなく、本発明の趣旨を逸脱しない範囲において、種々の改良並びに設計の変更を行っても良い。
例えば上記実施形態では携帯型電子機器として携帯電話機１を例に挙げて説明を行ったが、２つの筐体をヒンジ構造４で連結した携帯型電子機器であれば、ノート型パーソナルコンピュータ、デジタルカメラ、腕時計、ＰＤＡ（Personal Digital Assistance）、電子手帳、携帯型無線機、その他の電子機器に本発明を適用しても良い。
【図面の簡単な説明】
【００４７】
【図１】携帯電話機の斜視図である。
【図２】携帯電話機の正面図である。
【図３】図２の切断線III−IIIに沿った面の矢視断面図である。
【図４】図２の切断線IV−IVに沿った面の矢視断面図である。
【図５】ヒンジ構造の分解斜視図である。
【図６】図５とは異なる方向に見た分解斜視図である。
【図７】携帯電話機の分解斜視図である。
【符号の説明】
【００４８】
１  携帯電話機
２  第１の筐体
３  第２の筐体
２６  取付凹部
２８  第１の通し孔
３９  第２の通し孔
４１  軸線
１６０  フレキシブル配線基板
１６１  第１の防水キャップ
１６２  第２の防水キャップ
【図１】
2007273877.tif 000003
【図２】
2007273877.tif 000004
【図３】
2007273877.tif 000005
【図４】
2007273877.tif 000006
【図５】
2007273877.tif 000007
【図６】
2007273877.tif 000008
【図７】
2007273877.tif 000009